(57)【特許請求の範囲】
【請求項１】
ａ）第１のコンピュータ手段が、既存の銀行券の物理的及び／又は数値パラメータを収集するステップと、
ｂ）第１のコンピュータ手段が、前記第１のコンピュータ手段のファイル記憶装置に保存された第１のアルゴリズムを使用して、前記収集されたパラメータの少なくとも一部に基づき第１のコードを生成するステップと、
ｃ）第１のコンピュータ手段が、第２のコンピュータ手段のファイル記憶装置に保存された番号付けアルゴリズムを使用して、一意のコード番号を生成するステップと、
ｄ）第１のコンピュータ手段が、前記第１のコードを前記コード番号と組み合わせ、前記収集された物理的及び／又は数値パラメータのデータを統合するハッシュされた一意の第２のコードを生成するステップと、
ｅ）第１のコンピュータ手段が、前記第２のコードを電子／デジタル銀行券の一意の識別子として電子／デジタル銀行券の属性とするステップと
を含む電子／デジタル銀行券を生成するための方法。
【請求項２】
第１のコンピュータ手段が、前記収集された物理的及び／又は数値パラメータのハッシュされた及び／又は変換されたデータに基づきランダム・コードを生成する第１のアルゴリズムを使用するステップを含む、請求項１に記載の方法。
【請求項３】
第１のコンピュータ手段が、前記第１のコードに組み合わされる一意のランダム・コード番号を生成する番号付けアルゴリズムを使用するステップを含む、請求項１又は２までのいずれか一項に記載の方法。
【請求項４】
第１のコンピュータ手段が、安全で保証された環境内で可読支持体に前記第２のコードを記憶するステップを含む、請求項１から３までのいずれか一項に記載の方法。
【請求項５】
第１のコンピュータ手段が、電子／デジタル銀行券の識別のために、及び電子／デジタル銀行券の数値転送の認証のために前記第２のコードを使用するステップを含む、請求項１から４までのいずれか一項に記載の方法。
【請求項６】
第１のコンピュータ手段が、実物の銀行券シートを番号付けするステップ（５００）に先立って、従来の銀行券の生産ラインで生産された前記実物の銀行券シートの検知された物理的パラメータを使用するステップを含む、請求項１から５までのいずれか一項に記載の方法。
【請求項７】
第１のコンピュータ手段が、前記収集された物理的パラメータの少なくとも一部を構成するために、実物の銀行券シート（紙の銀行券）の従来の製作中に生じる構造的及び／又は印刷パラメータのランダムな揺らぎを使用するステップから成る、請求項６に記載の方法。
【請求項８】
第１のコンピュータ手段が、前記パラメータが収集された後、前記銀行券シートを破棄するステップを含む、請求項７に記載の方法。
【請求項９】
第１のコンピュータ手段が、既存の銀行券の物理的な銀行券見本の検知された物理的パラメータを使用するステップを含む、請求項１から５までのいずれか一項に記載の方法。
【請求項１０】
第１のコンピュータ手段が、ＣＡＤ手段によって生成され、従来の銀行券の生産ラインで生産される実物の銀行券シートを規定する数値パラメータを使用するステップを含む、請求項１から５までのいずれか一項に記載の方法。
【請求項１１】
第１のコンピュータ手段が、既存の銀行券シートの物理的な銀行券見本の検知された物理的パラメータを使用するステップ、及び従来の銀行券の生産ラインで生産される前記既存の銀行券シートを規定するＣＡＤ手段によって生成された数値パラメータを使用する前記ステップを含む、請求項１から５までのいずれか一項に記載の方法。
【請求項１２】
第１のコンピュータ手段が、前記一意のコード番号を生成するために従来の銀行券の生産ラインの番号付け手段を使用するステップを含む、請求項１から１１までのいずれか一項に記載の方法。
【請求項１３】
特に請求項１から１２までのいずれか一項に記載の方法を実行することによって電子／デジタル銀行券を生成するための機械（１ａ、１ｂ）であって、
既存の銀行券の物理的及び／又は数値パラメータを収集するための手段と、
収集されたパラメータの少なくとも一部に基づいて第１のコードを生成するための第１のアルゴリズムが保存されるファイル記憶装置を備える第１のコンピュータ手段と、
一意のコード番号を生成するための番号付けアルゴリズムが保存されるファイル記憶装置を備える第２のコンピュータ手段と、
ハッシュされた一意の第２のコードを生成するために、及び前記第２のコードを電子／デジタル銀行券の属性とするために前記第１のコードを前記コード番号と組み合わせるためのソフトウェア手段と
を備える機械（１ａ、１ｂ）。
【請求項１４】
前記ソフトウェア手段が前記第１のコンピュータ手段にロードされることを特徴とする、請求項１３に記載の機械（１ａ、１ｂ）。
【請求項１５】
前記第１のコンピュータ手段が改竄防止ブラックボックスに統合されることを特徴とする、請求項１３又は１４に記載の機械（１ａ、１ｂ）。
【請求項１６】
パラメータを収集するための前記手段が既存の銀行券の物理的パラメータを認識するための光学及び／又は電磁センサ手段を備えることを特徴とする、請求項１３から１５までのいずれか一項に記載の機械（１ｂ）。
【請求項１７】
銀行券シートのための入力システムと、
前記シートを分析し、且つ前記シートの物理的パラメータを収集するために、前記センサ手段の検知領域内に前記シートを輸送するための透明シリンダーと、
分析された後に前記透明シリンダーから前記シートを拾い上げるための、及び前記分析されたシートを排出システムに送り込むための抽出シリンダーと
を備えることを特徴とする、請求項１６に記載の機械（１ｂ）。
【請求項１８】
前記シートの第１の面の前記分析の後に前記シートを裏返すための、及び補足的な分析のために前記シートのもう一方の面を前記透明シリンダー上に配置するための、前記抽出シリンダーと協働する追加のシリンダーを備えることを特徴とする、請求項１７に記載の機械（１ｂ）。
【請求項１９】
前記センサ手段が前記透明シリンダーの外側に配置された一次元カメラ及び可視光反射照明器を備えることを特徴とする、請求項１７又は１８に記載の機械（１ｂ）。
【請求項２０】
前記センサ手段が、送出される光ビームを前記一次元カメラの方向に放射させることができる位置に、前記透明シリンダー内に配置された赤外又は紫外光送出照明器を備えることを特徴とする、請求項１９に記載の機械（１ｂ）。
【請求項２１】
前記排出システムが前記分析されたシートを破棄するために前記シートを切断ユニットに運ぶための移動テーブルを備えることを特徴とする、請求項１７から２０までのいずれか一項に記載の機械（１ｂ）。
【請求項２２】
遠隔のＣＡＤ装置と前記第１のコンピュータ手段との間でデータ伝送を確立するための接続及び通信手段を備え、前記データが前記ＣＡＤ装置に記憶されている既存の銀行券の前記数値パラメータに相当することを特徴とする、請求項１３又は１４に記載の機械（１ａ、１ｂ）。
【発明の詳細な説明】
【技術分野】
【０００１】
本発明は、電子又はデジタル・マネーを生成する技術分野に関する。そうした電子マネーの目的は、従来の銀行券の使用を部分的に及び漸次置き換えることである。電子／デジタル・マネーを生成し、世界的な財務フロー及び取引の機構においてますます大きくなる役割を担う可能性がある効率的で保証されたシステムが実際に必要であるように思われる。
【０００２】
本発明は、より詳細には電子／デジタル・マネー、具体的には電子／デジタル銀行券を生成するための新奇な方法に関する。
【０００３】
本発明は、電子／デジタル銀行券の「誕生」又は作成から始まる、コード化の新しい電子的方法を必然的に伴い、この銀行券が、多くの要素の中でも、政府機関／中央銀行が世界的にお金の流れを制御するための不可欠なコードを含む。本システムのアーキテクチャは、これらの機関への莫大な情報の流れの管理、並びにこれらの金融取引及び金融の流れに関する統計値の確定を著しく容易にする。
【０００４】
「オープンなループ」において流れる従来の銀行券と同様、本発明において、ジオリ・マネー（Ｇｉｏｒｉ−Ｍｏｎｅｙ）と呼ばれる電子／デジタル銀行券の利点は、この銀行券も同じ原理で運用されるということである。ジオリ・マネーは、銀行券と同様に国際的に認められており、銀行券が現在「オープンなシステム」において当事者間で流れるように、流れる。しかし、ジオリ・マネーは、唯一の世界標準の傘の下で中央銀行によって余剰の銀行券として管理することができる、有効で追跡可能な金融手段となるように、技術の最新の進歩が活用されるというさらなる利点を有する。
【０００５】
また、本発明は、上記の方法を実行し、それにより保証された電子／デジタル銀行券を生成するための機械に関係する。
【０００６】
日常生活において通信を行うための電子機器のますます大きくなる役割が、そうした電子／デジタル・マネーが金融取引をどれくらい容易にすることができるかを理解する手助けとなる。
【背景技術】
【０００７】
電子マネーを生成するための多くの試みがなされている。これらの電子マネーが基づくシステムは、特に偽造に関して、又はこれらの電子マネーの取引のセキュリティ、流通及び追跡可能性に関しても極めて多くの欠点を有する。
【０００８】
大多数のこれらのシステムは、閉じたループのシステムで動作し、それによって特定のネットワーク内のみでしか取引を遂行することができず、したがってこれらの電子マネーの全体的な持続性、有用性及び相互運用性が制限される。
【発明の概要】
【発明が解決しようとする課題】
【０００９】
それゆえ、本発明の目的は、上記の欠点を示さず、実施するのが特に簡単な、電子／デジタル銀行券を生成する新しく安全な方法を提案することである。
【００１０】
本発明の別の目的は、贋造又は偽造することができない電子／デジタル銀行券を生成する新奇な方法を提案することである。
【００１１】
したがって、本発明の目的は、実行するのが簡単であり、また非常に低い運用コストを含む、電子／デジタル銀行券を生成する新しい方法を提案することである。
【００１２】
本発明の別の目的は、前記方法を実行するための新奇な機械を提案することである。
【００１３】
本発明の別の目的は、信頼性があり、適応性があり、コスト効率が良い、電子／デジタル銀行券を生成するための新奇な機械を提案することである。
【課題を解決するための手段】
【００１４】
本発明に与えられた目的は、以下のステップを含む、電子／デジタル銀行券を生成する方法の助けを借りて実現される。すなわち、
ａ）既存の銀行券の物理的及び／又は数値パラメータを収集するステップ、
ｂ）収集されたパラメータの少なくとも一部に基づいて第１のコードを生成するために、第１のコンピュータ手段のファイル記憶装置に保存された第１のアルゴリズムを使用するステップ、
ｃ）一意のコード番号を生成するために、第２のコンピュータ手段のファイル記憶装置に保存された番号付けアルゴリズムを使用するステップ、
ｄ）第１のコードをコード番号と組み合わせて、収集された物理的及び／又は数値パラメータのデータを統合するハッシュされた一意の第２のコードを生成するステップ、及び
ｅ）第２のコードを電子／デジタル銀行券の属性とするステップである。
【００１５】
中央銀行のレベルで生成された電子／デジタル銀行券は、したがって漸次既存の銀行券（若しくは紙幣）の代用物又は代替物になるであろう。
【００１６】
本発明による実施態様において、本方法は、ステップｄ）及びｅ）を実行するために第１のコンピュータ手段を使用するステップから成る。
【００１７】
本発明による実施態様において、本方法は、収集された物理的及び／又は数値パラメータのハッシュされた及び／又は変換されたデータに基づいて、ランダムなコードを生成する第１のアルゴリズムを使用するステップを含む。
【００１８】
本発明による実施態様において、本方法は、第１のコードに組み合わせられる一意のランダムなコード番号を生成する番号付けアルゴリズムを使用するステップを含む。
【００１９】
本発明による実施態様において、本方法は、安全で保証された環境内で可読支持体に第２のコードを記憶するステップを含む。
【００２０】
本発明による実施態様において、本方法は、電子／デジタル銀行券の識別、及び電子／デジタル銀行券の数値転送の認証のために第２のコードを使用するステップを含む。
【００２１】
本発明による実施態様において、本方法は、前記銀行券を番号付けするステップに先立って、従来の銀行券の生産ラインで生産される実物の銀行券シートの検知された物理的パラメータを使用するステップを含む。
【００２２】
本発明による実施態様において、本方法は、収集された物理的パラメータの少なくとも一部を構成するために、実物の銀行券の従来の製作中に生じる構造的及び／又は印刷パラメータのランダムな揺らぎを使用するステップから成る。
【００２３】
本発明による実施態様において、本方法は、パラメータが収集された後、銀行券シートを破棄するステップから成る。
【００２４】
本発明による別の実施態様において、本方法は、既存の銀行券の物理的な銀行券見本からの検知された物理的パラメータを使用するステップを含む。
【００２５】
本発明による別の実施態様において、本方法は、従来の銀行券の生産ラインで生産される実物の銀行券シートを規定する、ＣＡＤ手段によって生成される、数値パラメータを使用するステップを含む。
【００２６】
本発明による別の実施態様において、本方法は、既存の銀行券シートの物理的な銀行券見本からの検知された物理的パラメータを使用するステップ、及び従来の銀行券の生産ラインで生産される既存の銀行券シートを規定する、ＣＡＤ手段によって生成される、数値パラメータを使用するステップを含む。
【００２７】
本発明による実施態様において、本方法は、一意のコード番号を生成するために従来の銀行券の生産ラインの番号付け手段を使用するステップを含む。
【００２８】
本発明に与えられた目的は、以下を含む、特に請求項１から１３までのいずれか一項に記載された方法を実行することによって、電子／デジタル銀行券を生成するための機械の助けを借りて実現される。すなわち、
【００２９】
既存の銀行券の物理的及び／又は数値パラメータを収集するための手段、
【００３０】
収集されたパラメータの少なくとも一部に基づいて第１のコードを生成するための第１のアルゴリズムが保存されるファイル記憶装置を備える第１のコンピュータ手段、
【００３１】
一意のコード番号を生成するための番号付けアルゴリズムが保存されるファイル記憶装置を含む第２のコンピュータ手段、及び
【００３２】
ハッシュされた一意の第２のコードを生成するために、及び前記第２のコードを電子／デジタル銀行券の属性とするために第１のコードをコード番号と組み合わせるためのソフトウェア手段を含む。
【００３３】
本発明による機械の実施例において、ソフトウェア手段が第１のコンピュータ手段にロードされる。
【００３４】
本発明による機械の実施例において、第１のコンピュータ手段は、改竄防止ブラックボックスに統合される。
【００３５】
本発明による機械の実施例において、パラメータを収集するための手段は、既存の銀行券の物理的パラメータを認識するための光学及び／又は電磁センサ手段を備える。
【００３６】
本発明による実施例において、本機械は、以下を備える。すなわち、
【００３７】
銀行券シートのための入力システム、
【００３８】
前記シートを分析し、且つ前記シートの物理的パラメータを収集するためにセンサ手段の検知領域内にシートを輸送するための透明シリンダー、及び
【００３９】
分析された後に透明シリンダーからシートを拾い上げるための、及び分析されたシートを排出システムに送り込むための抽出シリンダーである。
【００４０】
本発明による機械の実施例において、本機械は、シートの第１の面の分析の後にシートを裏返すための、及び補足的な分析のために前記シートのもう一方の面を透明シリンダー上に配置するための、抽出シリンダーと協働する追加のシリンダーを備える。
【００４１】
本発明による機械の実施例において、センサ手段は、一次元カメラ及び透明シリンダーの外側に配置された可視光線反射照明器を備える。
【００４２】
本発明による機械の実施例において、センサ手段は、送出される光ビームを一次元カメラの方向に放射させることができる位置に、透明シリンダー内に配置された赤外又は紫外光送出照明器を備える。
【００４３】
本発明による機械の実施例において、排出システムは、分析されたシートを破棄するためにシートを切断ユニットに運ぶための移動テーブルを備える。
【００４４】
本発明による機械の実施例において、本機械は、遠隔のＣＡＤ装置と第１のコンピュータ手段との間で、ＣＡＤ装置に記憶されている既存の銀行券の数値パラメータに相当するデータの伝送を確立するための接続及び通信手段を備える。
【００４５】
本発明による方法並びに本発明による機械の利点は、それらを、従来の銀行券の既存の生産ラインにおいて、したがって前記既存の生産ラインの形を全く変えることなく、組み合わせ、又は統合することができるという事実にある。
【００４６】
本発明による機械の別の利点は、中央銀行又は別の官庁の全監督及び管理の下でその運用が行われるという事実にある。
【００４７】
本発明による方法及び機械の別の利点は、電子／デジタル銀行券を規定する第２のコードを生成するのに必要なすべての手段（第１のアルゴリズム）に対するアクセス権を中央銀行が有さないという事実により、前記中央銀行が認定されていない電子／デジタル銀行券を生成することができないという点にある。中央銀行でさえ、既に存在するデジタル銀行券を、その第２のコードが一意であり、登録されているため、複写又は複製することができない。さらに、古い銀行券シートの回収は、デジタル銀行券についてはもはや必要ではない。
【００４８】
本発明による機械の別の利点は、その技術的特徴があらゆる種類の既存の従来の銀行券に適応可能であり、したがって、世界のすべての中央銀行に対して最適化されうるという点にある。
【００４９】
また、本発明及びその利点は、例示によって与えられる実施例についての以下の説明から、及び添付図面を参照するとより詳細に見えてくる。
【図面の簡単な説明】
【００５０】
【図１】図１は、本発明による方法を説明する流れ図である。
【図２ａ】図２ａは、現在の銀行券の従来の生産ラインに統合される本発明による機械の第１の実施例を使用して、本発明による方法を説明する流れ図である。
【図２ｂ】図２ｂは、現在の銀行券の従来の生産ラインに統合される本発明による機械の第２の実施例を使用して、本発明による方法を説明する流れ図である。
【図２ｃ】図２ｃは、現在の銀行券の従来の生産ラインに統合される本発明による機械の第３の実施例を使用して、本発明による方法を説明する流れ図である。
【図３】図３は、図２ｃの本発明による機械の第３の実施例の説明図である。
【発明を実施するための形態】
【００５１】
構造上及び機能的に同一で、２つ以上の別個の図又は説明図に存在する要素は、それらの図又は説明図のそれぞれにおいて同じ数値又は英数字の参照記号が与えられる。
【００５２】
図１は、本発明による方法を説明する流れ図である。本発明による方法は、機械１の助けを借りて実行される。
【００５３】
電子／デジタル銀行券を生成することができるこの方法は、既存の銀行券の物理的及び／又は数値パラメータを収集するステップａ）を含む。
【００５４】
また、本方法は、収集されたパラメータの少なくとも一部に基づいて第１のコードＦＣを生成するために第１のコンピュータ手段のファイル記憶装置に保存された第１のアルゴリズムＦＡを使用するステップｂ）を含む。この第１のコードＦＣは、「ＤＮＡコード」とも呼ばれる。第１のコンピュータ手段は、機械１に統合される、又は機械１に関連付けられるのが有利である。
【００５５】
次いで、本方法は、一意のコード番号を生成するために第２のコンピュータ手段のファイル記憶装置に保存された、番号付けアルゴリズムＮＡを使用するステップｃ）を含む。そうした番号付けアルゴリズムは、例えば一意のコード番号を生成するために従来の銀行券の生産ラインの番号付け手段に記憶されている。そうした番号付け操作は、よく知られている。
【００５６】
次いで、本方法は、第１のコードをコード番号と組み合わせて、収集されたパラメータのデータを統合するハッシュされた一意の第２のコードＳＣを生成するのが有利であるステップｄ）を含む。
【００５７】
次いで、本方法は、第２のコードＳＣを電子／デジタル銀行券２の属性とするステップｅ）を含む。
【００５８】
本発明による実施態様において、本方法は、ステップｄ）及びｅ）も実行するために第１のコンピュータ手段を使用するステップから成る。
【００５９】
第１のアルゴリズムＦＡは、例えば収集されたパラメータのハッシュされた及び／又は変換されたデータに基づいてランダムな第１のコードＦＣを生成する。
【００６０】
本発明による実施態様において、本方法は、番号付けアルゴリズムＮＡを使用して、第１のコードＦＣに組み合わされる一意のランダムなコード番号を生成するステップを含む。コード番号は、現在の及び既存の印刷された銀行券に対して中央銀行によって生成された種類の番号である。中央銀行の既に存在する番号付けアルゴリズムは、第１のコードＦＣと組み合わされるコード番号の生成に使用することができる。
【００６１】
本発明による実施態様において、本方法は、安全で保証された環境内で可読支持体に第２のコードＳＣを記憶するステップを含む。そうした支持体は、好ましくは中央銀行内部の安全な場所に置かれる。
【００６２】
本発明による実施態様において、本方法は、電子／デジタル銀行券２の識別のために、及び電子／デジタル銀行券２の数値転送の認証のために第２のコードＳＣを使用するステップを含む。そうしたステップは、対応する暗号化された通信手段の助けを借りて行われるのは明らかである。
【００６３】
本発明による実施態様において、本方法は、前記銀行券の番号付けステップに先立って、従来の銀行券の生産ラインで生産された実物の銀行券の検知された物理的パラメータを使用するステップを含む。これらの物理的パラメータは、例えば、透かし若しくは写像パラメータ、色パラメータ、番号付けパラメータ、深堀りパラメータ、又はその他のパラメータ、或はそうしたパラメータの任意の組み合わせを含む。
【００６４】
本発明による実施態様において、本方法は、収集されたパラメータの少なくとも一部を構成するために、実物の銀行券（紙の銀行券）の従来の製作中に生じる構造的及び／又は印刷パラメータのランダムな揺らぎを使用するステップを含む。そうした揺らぎは、例えば、色、くぼみ、デザイン、パターン、若しくはその他のパラメータ、又はパラメータの組み合わせに関することがある。
【００６５】
本発明による実施態様において、本方法は、パラメータが収集された後、銀行券シートを破棄するステップを含む。銀行券シートが対応する一意の製作揺らぎを有する銀行券シートは、別の、したがって違法な電子／デジタル銀行券２の生成に再び使用することができない。
【００６６】
本発明による別の実施態様において、本方法は、ＣＡＤ手段（コンピュータ援用設計手段）によって生成され、従来の銀行券の生産ラインで生産される実物の銀行券シートを規定する数値パラメータを使用するステップを含む。これらの数値パラメータは、例えば、透かし若しくは写像パラメータ、色パラメータ、番号付けパラメータ、深彫りパラメータ、又はその他のパラメータ、或はそうしたパラメータの任意の組み合わせを含む。
【００６７】
図２は、現在の銀行券の従来の生産ライン３に統合された、本発明による機械１ａ又は１ｂの実施例の概略の機能図である。機械１ａ又は１ｂは、一意の第２のコードＳＣが生成されるデジタル銀行券２を規定することができる。
【００６８】
従来の生産ライン３は、例えば、標準的な銀行券の印刷処理に対応する連続した操作又は製作ステップを請け負うための手段を備える。
【００６９】
そうした標準的な処理は、例えば以下のステップを含む。すなわち、
１００）銀行券シートを、その構造、色、及び他の印刷パラメータで設計するステップから成るコンピュータ援用設計ステップ（ＣＡＤ）、
２００）オフセット印刷ステップ、
３００）シルクスクリーン印刷ステップ、
４００）凹刻印刷ステップ、
５００）コード番号を銀行券の属性とすることから成る番号付けステップ、
６００）及び７００）銀行券の生産における他のセキュリティ要素から成る他のステップである。
上記のステップ１００）から７００）は、現在の銀行券の生産においてよく知られている。
【００７０】
図２ａに示す実施態様による機械１ａは、本発明による方法のステップａ）を請け負うために、標準的な銀行券印刷処理によって、具体的にはＣＡＤ手段によって、ステップ１００）の直後に既存の銀行券の数値パラメータを取得する。
【００７１】
図２ａの実施例において、数値パラメータに相当するデータを収集するための手段は、第１のコンピュータ手段のＣＡＤ手段及び特定のソフトウェア手段への接続手段を含む。
【００７２】
図２ｂに示す実施態様による機械１ａは、本発明による方法のステップａ）を請け負うために、前記見本を製作することから成る標準的な銀行券印刷処理によって、ステップ１１０）の直後に既存の銀行券見本の物理的パラメータを取得する。そうした見本製作は、例えばＣＡＤ手段によって推進される。銀行券見本は、実物の銀行券シートのパラメータすべてを有する。
【００７３】
図２ｂの実施例において、見本の物理的パラメータに対応するデータを収集するための手段は、第１のコンピュータ手段に接続された走査手段を備える。パラメータを収集するための手段は、見本の物理的パラメータを認識するための光学及び／又は電磁センサ手段を含む。
【００７４】
図２ｃに示す実施態様による機械１ｂは、標準的な銀行券印刷処理の番号付け操作に先立って、ステップ４００の直後に既存の銀行券シート４の物理的パラメータを取得する。ステップｃ）の結果として生じるコード番号は、ステップ４００において標準的な銀行券印刷処理の番号付けアルゴリズムによって発行される。
【００７５】
図２ｃの実施例において、紙の銀行券シート（既存の銀行券）の物理的パラメータに対応するデータを収集するための手段は、第１のコンピュータ手段に接続された走査手段を備える。パラメータを収集するための手段は、例えば、既存の銀行券の物理的パラメータを認識するための光学及び／又は電磁センサ手段を備える。
【００７６】
図３は、本発明による機械１ｂの別の実施例の概略図である。
【００７７】
特に上記のような方法を実行することによって、電子／デジタル銀行券２を生成するための機械１ｂは、既存の銀行券シート４の物理的及び／又は数値パラメータを収集するための手段を備える。パラメータを収集するための手段は、既存の銀行券シート４の物理的及び／又は構造パラメータを認識するための光学及び／又は電磁センサ手段を備えるのが有利である。
【００７８】
本発明による実施例において、機械１ｂは、銀行券シート４のための、コンベヤーなどの入力システム５を備える。
【００７９】
また、機械１ｂは、前記シート４を分析し、且つ前記シート４の物理的パラメータの少なくとも一部を収集するために、センサ手段の検知領域７又は取得領域内にシート４を輸送するための輸送シリンダー、例えば透明シリンダー６を含む。
【００８０】
透明シリンダー６は、真空が加えられる貫通開口又はスルーホールを提供する。真空クリッピング方式などの真空を生成するための対応する手段は、そうした用途では既に知られている。
【００８１】
実施例において、センサ手段は、透明シリンダー６の外側に配置された一次元カメラ６ａ及び可視光線反射照明器６ｂを備える。可視光のビームは、透明シリンダー６の外側表面上の検知領域７の範囲を定める。
【００８２】
実施例において、センサ手段は、透明シリンダー６内に、より精密には送出される光ビームを一次元カメラ６ａの方向に放射させることができる位置に配置された赤外又は紫外光送出照明器６ｃを含む。
【００８３】
実施例において、センサ手段は、異なる波長又は特定の波長を使用することができる。
【００８４】
また、機械１ｂは、分析された後に、及び分析されたシート４を排出システム９に送り込むために、シート４を透明シリンダー６から拾い上げるための抽出シリンダー８を含む。
【００８５】
抽出シリンダー８は、例えば、透明シリンダー６よりも小さな径を有し、前記透明シリンダー６に対する位置調整を行うために垂直方向Ｖに移動することができる。
【００８６】
本発明による実施例において、機械１ｂは、シート４の第１の面の分析の後にシート４を裏返すための、及びシート４の第２の面の分析のためにシート４の第１の面を透明シリンダー６上に配置するための、抽出シリンダー８と協働する追加のシリンダー１０を備える。追加のシリンダー１０は、遠隔位置と、シート４を拾い上げるために抽出シリンダー８に接触する第１の位置と、シート４のもう一方の面を前記透明シリンダー６上に配置するために透明シリンダー６に接触する第２の位置との間で駆動されるのが有利である。銀行券シート４の両面をそのようにして分析することができる。
【００８７】
追加のシリンダー１０は、例えば、透明シリンダー６よりも小さな径を有し、例えば、前記透明シリンダー６に対する位置調整を行うために、及び抽出シリンダー８に対する位置調整を行うために少なくとも１つの方向Ｄに移動することができる。
【００８８】
また、真空手段は、シート４を抽出シリンダー８及び追加のシリンダー１０の外側表面に固定するために使用される。
【００８９】
排出システム９は、シート４を短冊状に小さくするためにシート４を切断ブレード９ｂに運ぶための、そうして分析されたシート４を破棄するための移動テーブル９ａを備える。切断ブレード９ｂは、短冊を寸法が３ｍｍ未満の細片へと小さくするグラインダー１２に短冊を運ぶためのコンベヤー・ベルト１１に関連付けられるのが有利である。
【００９０】
また、実施例における機械１ｂは、グラインダー１２から来る小さくなった細片の重さを量るための精密な計量システム１３を備える。分析されたシート４がすべて破棄され、再び使用することができないということを確かなものとすることができる。
【００９１】
分析されたシート４は、透明シリンダー６から放出され、そこで抽出シリンダー８が真空クリッピング・システムによって前記シート４を引き取り、前記シート４を移動テーブル９ａに輸送する。次いで、シート４の短冊は、重力によって、グラインダー１２に送り込むコンベヤー・ベルト１１上に落下する。次いで、シート４は、現在の銀行券破壊の規制を順守するために十分に小さな寸法の細片にされる。最終的な細片は、ステンレス・スチール容器１４に収集される。次いで、精密な計量システム１３によって、デジタル銀行券２を作成するために使用されたシート４が破壊されたことの妥当性検証が行われる。シート４の実際の重さの初期データ及び抽出された細片の重さが一致している場合に限り、この妥当性検証が行われる。次いで、機械１ｂは、パラメータの取得の妥当性検証を行い、続けて暗号化の次の段階に進むことを許可する。
【００９２】
また、機械１ｂは、透明シリンダー６、抽出シリンダー８、追加のシリンダー１０、一次元カメラ６ａ並びに真空手段の動作を制御するための駆動手段を備える。
【００９３】
また、機械１ｂは、収集されたパラメータの少なくとも一部に基づいて第１のコードＦＣを生成するための第１のアルゴリズムＦＡが保存されるファイル記憶装置を有する第１のコンピュータ手段を備える。
【００９４】
また、機械１ｂは、一意のコード番号を生成するための番号付けアルゴリズムＮＡが保存されるファイル記憶装置を有する第２のコンピュータ手段を備える。また、第２のコンピュータ手段は、機械１ａ又は１ｂに関連付けられてもよく、遠隔地、例えば、中央銀行内に位置してもよい。
【００９５】
また、機械１ｂは、ハッシュされた一意の第２のコードＳＣを生成するために、及び前記第２のコードＳＣを電子／デジタル銀行券２の属性とするために第１のコードＦＣをコード番号と組み合わせるためのソフトウェア手段を備える。このソフトウェア手段は、例えば第１のコンピュータ手段にロードされている。
【００９６】
第１のコンピュータ手段は、改竄防止ブラックボックスに統合されるのが有利である。そのため機械１ｂ又は１ａの製造業者のみが、前記ブラックボックスに収容されているものについての、特に第１のアルゴリズムＦＡを構成する詳細な命令についての知識を有する。
【００９７】
機械１ａは、遠隔のＣＡＤ装置と第１のコンピュータ手段との間のデータ伝送を確立するための接続及び通信手段を備える実施例であり、このデータがＣＡＤ装置に記憶されている既存の銀行券の数値パラメータに相当する。そのため数値パラメータのうちのいくつかは、第１のコードＦＣを生成するために使用されてもよい。
【００９８】
本発明による実施態様において、デジタル銀行券２を生成する方法は、下記の通り実行される。
【００９９】
番号付け段階の前であるが印刷が完了し、ステップ４００で生産ラインから抽出されたシート４は、入力ユニット５に置かれる。
【０１００】
シート４は、シート４のブロッキングを保証する真空クリッピング・システムの助けを借りて透明シリンダー６から取り去られる。次いで、シート４は、透明シリンダー６から移動し、その結果シート４は、センサ手段によって全シート４が高精細（ＲＧＢ、ＩＲ）で走査された画像のマルチ・スペクトルのグループが提供されるデータ収集領域又は検知領域７を通過する。このグループは、反射可視光で及び／又は透過赤外光で取得されたカラー画像（若しくはＲＧＢ）を含む。
【０１０１】
取得又は検知領域７と並んで、「擬似ランダムな」方法で変更されるシート４の速度は、一定の周波数において一次元走査によって生じているマルチ・スペクトルの取得である。
【０１０２】
擬似ランダムな変更成分を含む取得画像それぞれについてのこの取得技法は、一意で、再現することができない。後続の取得画像もすべてさまざまなランダムな動き特性を有し、シート４の位置とさまざまに同期する。
【０１０３】
画像が高解像度であるため、取得データは、考慮対象にあるシート４の一意の構造的特性に関する情報を含む。物理的パラメータとも呼ばれるこれらの特性は、シート４の生産工程のランダムな揺らぎから生成される。そうした揺らぎは、例えば、基板の組成におけるランダムなばらつき、及び印刷処理の間に生成されるランダムなばらつき又は擬似ランダムなばらつきを含む。また、これらの揺らぎのサイズ、複雑さ、及び不規則性は、シート４のデジタル指紋のように使用されてもよい。
【０１０４】
次いで、本発明により取得された情報は、一意の方法で特徴づけられており、シート４の動きに関するランダムなばらつきの影響を含むので、複製することができない。
【０１０５】
次いで、紙又はシート４のマルチ・スペクトル画像が、データ処理システム又は第１のコンピュータ手段に送られ、そこで紙又はシート４が分析され、大容量記憶装置バックアップ・システムに永久記憶される。したがって、一意の画像が第２のコードＳＣに関連付けられた唯一の要素として残る。
【０１０６】
本発明による実施態様において、情報の分析を通して、規定された一定の要素は、除去されるのが好ましく、基板又はシート４の印刷された構造のランダムなばらつきに関連付けられた本質的なデータが抽出される。
【０１０７】
当然ながら、本発明は、その実施態様について数多くの変形がなされてもよい。いくつかの実施例及び実施態様について上で説明したが、あらゆる可能性のある変形形態を余す所なく確認することは、考えられないことを理解されたい。当然ながら、本発明の範囲を逸脱せずに、記載した手段のいずれも、又は記載したステップのいずれも等価な手段、又は等価なステップと置き換えることを想像することができる。
【図１】
0006033338.tif 000002
【図２ａ】
0006033338.tif 000003
【図２ｂ】
0006033338.tif 000004
【図２ｃ】
0006033338.tif 000005
【図３】
0006033338.tif 000006